(57)【要約】  本発明は、毛髪処理組成物を毛髪ストランドに正確に、また乱雑にならないように、そして均一に塗布することを可能にする塗布用具（１）に関する。塗布用具（１）は、連結部（３０）によってくぼみ部（２０）に移動可能な形で接合されたプレート（１０）と、くぼみ部（２０）に向かって延びるプレート（１０）の内表面（１０１）上の毛髪配向手段と、くぼみ部（２０）の周縁部（２２２）上の第１の調量層（５０）及び前記プレート（１０）の内表面上の第２の調量層（６０）を含む流体調量手段（３）とを備える。
2010528800.tif 000002
【特許請求の範囲】
【請求項１】
毛髪処理組成物を毛髪に塗布するための塗布用具（１）であって、前記塗布用具（１）が、
プレート（１０）と、
くぼみ部（２０）と
を含み、
前記塗布用具（１）が閉じた状態と開いた状態との間で切り替わることができるように、前記プレート（１０）及びくぼみ部（２０）が、連結部（３０）によって移動可能な形で接合されており、
前記プレート（１０）が、外表面（１０２）と内表面（１０１）とを有し、
前記内表面（１０１）が、前記内表面（１０１）を超えて前記くぼみ部（２０）に向かって延びる少なくとも１つの毛髪配向手段を含み、
前記くぼみ部（２０）が、周縁部（２２２）を含み、
前記塗布用具（１）が、流体調量手段（３）を更に含み、
前記流体調量手段が、前記くぼみ部（２０）の前記周縁部（２２２）上に配置された第１の調量層（５０）と、前記プレート（１０）の前記内表面（１０１）上に配置された第２の流体調量層（６０）とを含み、
その結果、前記塗布用具（１）が前記閉じた状態のときに、前記第１の調量層（５０）及び前記第２の調量層（６０）が実質的に並置されて前記流体調量手段を提供する、塗布用具（１）。
【請求項２】
前記毛髪配向手段が流体不透過性である、請求項１に記載の塗布用具（１）。
【請求項３】
前記毛髪配向手段が、第１フィン（７０）と第２フィン（７１）とを含む、請求項１に記載の塗布用具（１）。
【請求項４】
前記毛髪配向手段が、ポリオレフィン、熱可塑性エラストマー及びこれらの混合物から選択される、請求項１に記載の塗布用具（１）。
【請求項５】
前記第１の調量層（５０）が、実質的に前記第２の流体調量層（６０）の鏡像である、請求項１〜４のいずれか一項に記載の塗布用具（１）。
【請求項６】
前記流体調量手段が、不織布、発泡体及びこれらの組み合わせから選択される、請求項１〜５のいずれか一項に記載の塗布用具（１）。
【請求項７】
前記第１の調量層（５０）及び前記第２の調量層（６０）が、前記連結部（３０）に隣接して配置される、請求項１〜６のいずれか一項に記載の塗布用具（１）。
【請求項８】
前記第１の調量層（５０）及び前記第２の調量層（６０）が、独立して不連続である、請求項１〜７のいずれか一項に記載の塗布用具（１）。
【請求項９】
請求項１〜８のいずれか一項に記載の前記塗布用具（１）を用いて毛髪処理組成物を毛髪ストランドに塗布する方法であって、
前記方法が、
毛髪処理組成物を前記開いた状態の塗布用具（１）に付加する工程と、
毛髪ストランドの束を選択する工程と、
前記毛髪ストランドを前記塗布用具（１）に配置する工程と、
前記塗布用具（１）を前記閉じた状態にしてから前記毛髪ストランドの長さに沿って通す工程と
を含む、方法。
【請求項１０】
請求項１〜８のいずれか一項に記載の塗布用具（１）と、１つ以上の個別包装された毛髪処理組成物と、使用説明書とを含む、キット。
【請求項１１】
毛髪ストランド効果をもたらすために、請求項１〜８のいずれか一項に記載の塗布用具（１）を用いる、１つ以上の毛髪処理組成物又はそれらの組み合わせの使用。
【発明の詳細な説明】
【技術分野】
【０００１】
本発明は、化粧品組成物を繊維、好ましくはケラチン性繊維に正確に、また乱雑にならないように、そして均一に塗布することを可能にする塗布用具に関する。毛髪配向手段及び流体調量手段を含むこの塗布用具は特に、毛髪ストランド効果を提供する毛髪処理組成物用として意図されている。
【背景技術】
【０００２】
別個の毛髪ストランドに毛髪処理組成物を塗布すると、ユーザーは、頭部全体への塗布とは異なる見た目を達成することができる。毛髪ストランド効果を提供する毛髪処理組成物としては、ハイライト組成物、染色組成物、パーマ組成物、スタイリング組成物及びこれらの混合物が挙げられる。
【０００３】
ハイライト組成物及び染色組成物によって提供されるもののような毛髪ストランド効果は、望ましい場所に正確に適用しなければならない。例えば、十分すぎる量のハイライト組成物を毛根に塗布すると、その組成物は、隣接した未選択の毛髪ストランドに移動することがある。これによって、最終結果全般が変わる場合があると共に、ユーザーが作り出そうとしていた模様が完全に分裂する場合がある。過剰な量の製品を毛根に塗布した場合、毛髪の長さに沿って色彩効果が一貫したものにならず、望ましくない視覚効果につながる。その代わりに不十分な組成物を毛髪ストランドに塗布した場合、毛髪ストランド効果の均一性が得られないことがあり、視覚的に許容不可能である最終結果を引き起こす。したがって、処理する毛髪ストランドにわたって、一貫した量の製品を均一に塗布することが重要である。
【０００４】
ハイライトのような毛髪ストランド効果を提供するための１つの既知の方法は、キャップ・フック式システムである。頭を覆うように、穴が設けられたキャップを配置し、毛髪ストランドをフックによって引き出す。キャップ・フック式システムは、正確とは程遠く、キャップ上の穴を介して毛髪ストランドを無作為に選択してしまう、またハイライト組成物を、選択した毛髪ストランドの一部にしか塗布しないうえに、毛根部分に塗布しない可能性があるなどのいくつかの欠点を持つ。
【０００５】
いくつかの塗布用具が、キャップ・フック式システムの代替物として、毛髪ストランドの独立した束に毛髪処理組成物を塗布するためのものとして設計されてきた。これらの塗布用具は、２つの一般分野に属する。１つの分野は、櫛及び／又はブラシをベースとした塗布用具を含む。もう一方のグループは、関節構造を呈する２つの部分を有する塗布用具を含み、この２つの部分は、相互に対して移動可能な部分である。この後者の分野では、多くの試みが開示されてきた。米国特許第３，０３０，９６８号は、浸漬作業によって充填される液体処理材用の塗布用具に言及している。この塗布用具は、トラフと、Ｕ字型弾性バネの脚部の末端部上に取り付けられた毛髪ガイド部材とを含む。このバネによって、手での圧縮が可能になり、毛髪ガイド部材がトラフに適合可能になる。米国特許第６，０６２，２３１号は、毛髪用製品を毛髪ストランドに塗布するための用具を開示している。この用具は、関節構造を呈する２つの部分、即ち、浸漬作業によって充填される塗布手段と、前記用具を使用している間、この塗布用具手段の上に毛髪ストランドを保つ保持部材とを含む。米国特許出願公開第２００３／００２４５４４号には、別の試みが示されており、毛髪用製品のための空洞と、伸縮自在に変形可能である保持部材とが設けられた用具が開示されている。この保持部材は、多孔質又は繊維性材料を含むことがあり、空洞には、毛髪処理組成物の塗布中に毛髪ストランドを適所に保つ少なくとも１つの切り欠きが設けられている。しかしながら、このような部材の使用には多くの欠点があり、特に組成物が毛髪ストランド全体に対して均一に付着せず、及び／又は毛髪が過剰にコーティングされたり、若しくは一部の毛髪ストランドが全くコーティングされないことがある。更に、組成物も塗布用具から移動して汚れを生じることがある。
【０００６】
毛髪ストランド効果、具体的にはハイライト及び染色の効果を得るために組成物を自分で塗布することは本質的に困難であると一般的には認識されている。期待される最終結果を得るには、いくつかの技術的課題に対処するために、毛髪処理組成物を自分で塗布するのを容易にできる塗布用具を考案する必要があるが、具体的には、この塗布用具は、毛髪ストランドの独立した束に組成物を均一に塗布しなければならない。組成物がハイライト組成物又は染色組成物であるとき、均一性は非常に重要である。これらの組成物によって提供される永続的効果は、塗布後直ちに目に見えるものではなく、また結果が魅力的なものでない場合に、簡単には逆戻りできない。つまり、塗布用具は、毛髪ストランドの束の長さ及び幅に沿って、かつ同様に、前側表面及び後側表面上で、均質なコーティングを確実に実現しなければならない。
【０００７】
これに加えて、このような塗布用具は、隣接するストランド又は頭皮及び皮膚に付着させることなく、すべての毛髪ストランドをコーティングし、それによって毛髪ストランド効果を提供するのに十分な量の毛髪処理組成物を塗布しなければならない。更には、ユーザーが毛髪ストランドの束に沿って塗布用具を動かす間、塗布用具は、毛髪処理組成物を塗布してから、後に毛髪処理組成物をこすり落としてはならない。また、このような塗布用具による塗布作業は、毛髪処理組成物が毛髪処理用塗布用具から漏れることなく、整然と清潔な形で実施されなければならない。更に、塗布用具は、進路に支障をきたして、からまり（snaring）、もつれ、及び潜在的な不快感をユーザーに与えることのないよう、塗布用具に毛髪を通すことができなければならない。
【０００８】
最後に、このような毛髪処理組成物用塗布用具は、使いやすくなければならず、間違いなく安価で、かつ製造しやすくなければならず、毛髪処理組成物を充填する量及び場所などに関して、何ら特別な経験及び研修を必要としてはならない。理想的には、消費者は、単に、製造者の提供するわずかな指示に従うことによって、塗布用具を充填及び使用できなければならない。
【先行技術文献】
【特許文献】
【０００９】
【特許文献１】米国特許第３，０３０，９６８号
【特許文献２】米国特許第６，０６２，２３１号
【特許文献３】米国特許出願公開第２００３／００２４５４４号
【発明の概要】
【発明が解決しようとする課題】
【００１０】
したがって、当該技術分野において解決すべきものとして今も残っているのは、上で定義した技術的問題を克服できる毛髪処理用塗布用具である。
【００１１】
塗布用具（本明細書において以下に定義される）は、毛髪処理組成物の塗布を著しく改善して、毛髪ストランド効果を提供できることが今では判明している。
【課題を解決するための手段】
【００１２】
本発明に従って、毛髪処理組成物を毛髪に塗布するための塗布用具（１）が提供され、前記塗布用具（１）は、プレート（１０）と、くぼみ部（２０）とを含み、塗布用具（１）が閉じた状態と開いた状態との間で切り替わることができるように、前記プレート（１０）及びくぼみ部（２０）は、連結部（３０）によって移動可能な形で接合されており、前記プレート（１０）は、外表面（１０２）と内表面（１０１）とを有し、前記内表面（１０１）は、前記内表面（１０１）を超えて前記くぼみ部（２０）に向かって延びる少なくとも１つの毛髪配向手段を含み、
前記くぼみ部（２０）は、周縁部（２２２）を含み、前記塗布用具（１）は、流体調量手段（３）を更に含み、前記流体調量手段（３）は、前記くぼみ部（２０）の前記周縁部（２２２）上に配置された第１の調量層（５０）と、前記プレート（１０）の前記内表面（１０１）上に配置された第２の流体調量層（６０）とを含み、その結果、前記塗布用具（１）が前記閉じた状態のときに、前記第１の調量層（５０）及び前記第２の調量層（６０）が実質的に並置されて前記流体調量手段を提供する。
【００１３】
更には、前記毛髪ストランドを本発明による前記塗布用具（１）と接触させることによって、毛髪処理組成物を毛髪ストランドに塗布する方法、及び本発明による塗布用具（１）を含むキットについても説明する。
【図面の簡単な説明】
【００１４】
【図１Ａ】本発明による前記塗布用具（１）の実施形態の斜視図。前記塗布用具は、プレート（１０）と、くぼみ部（２０）と、連結部（３０）とを含む。この実施形態では、第１の調量層（５０）は、前記くぼみ部（２０）の前記壁部（２０２）の前記周縁部（２２２）の上に置かれており、第２の調量層（６０）は、前記プレート（１０）の前記外辺部（１０３）と、前記プレート（１０）の前記内表面（１０１）から突出した部材（４０）である毛髪配向手段とに沿って、前記プレート（１０）の内表面（１０１）の上に置かれている。塗布用具（１）は、この図では開いた状態で示されており、前記プレート（１０）の前記内表面（１０１）は、前記くぼみ部（２０）の前記開口部（２０３）と遠位関係にある。前記周縁部（２２２）の上には、２つの止め具機構が示されており、ここでは２つの実質的に同一の半球（４０２、４０３）により表されている。前記くぼみ部（２０）の底部（２０１）の上には、連結部（３０）の横の前記壁部（２０２）に隣接して、前記塗布用具（１）は封止手段（４０１）を含む。
【図１Ｂ】プレート（１０）とくぼみ部（２０）とを含む、本発明による塗布用具（１）の実施形態の斜視図。この実施形態では、前記少なくとも１つの調量層は第１の調量層（５０）を含み、この調量層は、前記くぼみ部（２０）の前記壁部（２０２）の前記周縁部の上に置かれており、第２の調量層（６０）は、前記プレート（１０）の前記外辺部（１０３）に沿って、前記プレート（１０）の前記内表面（１０１）の上に置かれている。部材（４０）を含む毛髪配向手段は、前記プレート（１０）の前記内表面（１０１）から突出している。
【図２Ａ】本発明による塗布用具（１）の実施形態の斜視図。塗布用具（１）は、この実施形態においては、閉じた状態で示されている。該近位縁（９０、９１）が該軸Ｙと実質的に平行になると共に、該末端縁（８０、８１）が、互いの方に向かって接近する形で、前記プレート（１０）の前記内表面（１０１）（この実施形態では、実質的に平らである）から、２つの実質的に同一の第１フィン（７０）及び第２フィン（７１）が、突出しているのを見せるために、前記くぼみ部（２０）の前記壁部（２０２）の一部が取り除かれている。第１の調量層（５０）は、前記壁部（２０２）の前記周縁部（２２２）の上に置かれており、第２の調量層（６０）は、前記プレート（１０）の前記外辺部（１０３）に沿って、前記実質的に平らな内表面（１０１）の上に置かれている。
【図２Ｂ】図２Ａに示されている前記プレート（１０）の横断面図。この横断面図は、図２Ａの線ＡＢに沿って、前記軸Ｙに垂直に切断したものである。前記の２つの実質的に同一な第１フィン（７０）及び第２フィン（７１）は、実質的に等しい第１の平均長（Ｌ１）及び第２の平均長（Ｌ２）分延びており、前記実質的に平らな内表面（１０１）と共に、実質的に等しい角度α及びβを形成する。
【図２Ｃ】図２Ｂに示されているものと同じ横断面図。しかし、前記プレート（１０）の前記外辺部（１３０）と前記壁部（２０２）の前記周縁部（２２２）との間の前記平均距離（Ｄ１）を明白に示している。前記第１の調量層（５０）及び前記第２の調量層（６０）も示されている。
【図３】本発明による前記塗布用具（１）の実施形態の斜視図。前記プレート（１０）は、連結部（３０）によって、移動可能な形で前記くぼみ部（２０）に接合されている。実質的に角錘台の形状を有する部材（４０）は、前記プレート（１０）の前記内表面（１０１）から突出している。前記周縁部（２２２）の上には、第１の調量層（５０）が、周縁部（２２２）を示すために一部を取り除かれて、前記周縁部（２２２）の上に置かれている。第２の調量層（６０）は、前記プレート（１０）の内表面（１０１）の上に置かれている。
【図４】本発明による塗布用具（１）の実施形態の斜視図。前記塗布用具（１）は、連結部（３０）によってくぼみ部（２０）に連結されたプレート（１０）を含む。前記連結部（３０）は、ピン（３８）によって固着された２つの雌部品（３２、３４）を含む。２つのストリップ（１１、１２）が、前記くぼみ部（２０）の前記壁部（２０２）の前記周縁部（２２２）の上に配置されている。第１の調量層は、２つの断片（５０、５０’）の形で、前記周縁部（２２２）の上に置かれている。第２の調量層は、２つの断片（６０、６０’）の形で、前記外辺部（１０３）に沿って前記内表面（１０１）の上に置かれている。２つの実質的に同一のフィン（７０、７１）を収容するために、２つの実質的に同一の溝（４９、５９）が、前記プレート（１０）を切り開いている。
【図５Ａ】本発明による前記塗布用具（１）の前記プレート（１０）の横断面図。これらの横断面図は、軸Ｙに沿って、前記プレート（１０）の中央で切断したものである。１つ以上の浸漬手段が、前記プレート（１０）の前記内表面（１０１）から突出している。前記１つ以上の浸漬手段は、図５Ａでは、実質的に角錐形状を有する部材（４０）である。
【図５Ｂ】本発明による前記塗布用具（１）の前記プレート（１０）の横断面図。これらの横断面図は、軸Ｙに沿って、前記プレート（１０）の中央で切断したものである。１つ以上の浸漬手段が、前記プレート（１０）の前記内表面（１０１）から突出している。前記１つ以上の浸漬手段は、図５Ｂでは複数の歯（４１）である。
【図５Ｃ】本発明による前記塗布用具（１）の前記プレート（１０）の横断面図。これらの横断面図は、軸Ｙに沿って、前記プレート（１０）の中央で切断したものである。１つ以上の浸漬手段が、前記プレート（１０）の前記内表面（１０１）から突出している。前記１つ以上の浸漬手段は、図５Ｃでは、実質的に平行六面体の形状を有する部材（４０）である。
【図５Ｄ】本発明による前記塗布用具（１）の実施形態のプレート（１０）の横断面図。この横断面図は、前記軸Ｙ（図５Ｅ〜５Ｇでは図示せず）に対して横断方向に、かつ、実質的に前記プレート（１０）の中央で切断したものである。図は、第１フィン（７０）及び第２フィン（７１）を含むプレート（１０）を示しており、前記フィン（７０、７１）は、異なる形を有する。
【図５Ｅ】本発明による前記塗布用具（１）の実施形態のプレート（１０）の横断面図。この横断面図は、前記軸Ｙ（図５Ｅ〜５Ｇでは図示せず）に対して横断方向に、かつ、実質的に前記プレート（１０）の中央で切断したものである。図は、第１フィン（７０）及び第２フィン（７１）を含むプレート（１０）を示しており、前記フィン（７０、７１）は、異なる形を有する。
【図５Ｆ】本発明による前記塗布用具（１）の実施形態のプレート（１０）の横断面図。この横断面図は、前記軸Ｙ（図５Ｅ〜５Ｇでは図示せず）に対して横断方向に、かつ、実質的に前記プレート（１０）の中央で切断したものである。図は、第１フィン（７０）及び第２フィン（７１）を含むプレート（１０）を示しており、前記フィン（７０、７１）は、異なる形を有する。
【図５Ｇ】本発明による前記塗布用具（１）の実施形態のプレート（１０）の横断面図。この横断面図は、前記軸Ｙ（図５Ｅ〜５Ｇでは図示せず）に対して横断方向に、かつ、実質的に前記プレート（１０）の中央で切断したものである。図は、第１フィン（７０）及び第２フィン（７１）を含むプレート（１０）を示しており、前記フィン（７０、７１）は、異なる形を有する。
【図５Ｈ】本発明による前記塗布用具（１）の実施形態のプレート（１０）の横断面図。これらの横断面図は、前記軸Ｙ（図５Ｅ〜５Ｇでは図示せず）に対して横断方向に、かつ、実質的に前記プレート（１０）の中央で切断したものである。図は、第１フィン（７０）及び第のフィン（７１）を含むプレート（１０）を示しており、前記フィン（７０、７１）のそれぞれは、実質的に矩形の形を有する。前記プレート（１０）の前記内表面（１０１）は、図５Ｈでは波状である。
【図５Ｌ】本発明による前記塗布用具（１）の実施形態のプレート（１０）の横断面図。こらの横断面図は、前記軸Ｙ（図５Ｅ〜５Ｇでは図示せず）に対して横断方向に、かつ、実質的に前記プレート（１０）の中央で切断したものである。図は、第１フィン（７０）及び第のフィン（７１）を含むプレート（１０）を示しており、前記フィン（７０、７１）のそれぞれは、実質的に矩形の形を有する。前記プレート（１０）の前記内表面（１０１）は、図５Ｌでは凹状である。
【図５Ｍ】本発明による前記塗布用具（１）の実施形態のプレート（１０）の横断面図。この横断面図は、前記軸Ｙ（図５Ｅ〜５Ｇでは図示せず）に対して横断方向に、かつ、実質的に前記プレート（１０）の中央で切断したものである。図は、第１フィン（７０）及び第のフィン（７１）を含むプレート（１０）を示しており、前記フィン（７０、７１）のそれぞれは、実質的に矩形の形を有する。前記プレート（１０）の前記内表面（１０１）は、図５Ｍでは凸状である。
【図５Ｎ】本発明による前記塗布用具（１）の実施形態のプレート（１０）の内表面（１０１）の斜視図。第１フィン（７０）及び第２フィン（７１）は、前記プレート（１０）の前記内表面（１０１）から突出しており、図５Ｎでは、前記フィン（７０、７１）及びそれらの近位縁（９０、９１）は湾曲している。
【図５Ｐ】本発明による前記塗布用具（１）の実施形態のプレート（１０）の内表面（１０１）の斜視図。第１フィン（７０）及び第２フィン（７１）は、前記プレート（１０）の前記内表面（１０１）から突出しており、図５Ｐでは、前記フィン（７０、７１）は突出部（７５）を有する。
【発明を実施するための形態】
【００１５】
本発明の目的では、毛髪という用語は、生きている毛髪、即ち、生物上の毛髪と、生きていない毛髪、即ち、かつら、ヘアピース、又は生きていないケラチン繊維の他の集合体との両方を指す。哺乳類、好ましくはヒトの毛髪が意図される。
【００１６】
本発明の目的では、「上に置かれた」という用語は一般的に、この用語が言及する機構を配置する行為ではなく、この用語が言及する機構の場所を示すために用いられる。
【００１７】
本発明は、本明細書に記載する特徴が、上記技術的問題を解決するために本発明中で選択される特定の関係で組み合わされるとき、それらが有する相乗関係によって特徴付けられる。
【００１８】
本明細書に記載されている技術的効果を達成するために、本発明による、毛髪処理組成物を毛髪に塗布するための塗布用具（１）は、図１Ａに示されているように、プレート（１０）及びくぼみ部（２０）を含む。連結部（３０）は、前記プレート（１０）を前記くぼみ部（２０）に移動可能な形で接合する。前記プレート（１０）は、外辺部（１０３）並びに内表面（１０１）及び外表面（１０２）を含む。前記くぼみ部（２０）は、底部（２０１）及び壁部（２０２）によって形成され、前記壁部（２０２）は、前記底部（２０１）から出て、上方に延びている。前記壁部（２０２）は周縁部（２２２）を含み、前記壁部（２０２）と前記周縁部（２２２）は、図１に示されているように、前記くぼみ部（２０）の開口部（２０３）と内部容積部（２０４）とを画定する。前記塗布用具（１）が、開いた状態から閉じた状態に切り替わることができるように、前記プレート（１０）と前記くぼみ部（２０）は、前記連結部（３０）によって移動可能な形で接合される。この後者の状態では、前記プレート（１０）の前記内表面（１０１）は、前記くぼみ部（２０）の前記開口部（２０３）と並置関係にある。
【００１９】
前記プレート（１０）の前記内表面（１０１）は、少なくとも１つの毛髪配向手段を更に含み、これは、図１Ａでは、前記内表面（１０１）を超えて前記くぼみ部（２０）に向かって延び、好ましくは前記くぼみ部（２０）の前記底部（２０１）に向かって延びるが前記底部（２０１）には接触していない部材（４０）である。
【００２０】
前記塗布用具（１）は、流体調量手段を更に含む。好ましくは、前記流体調量手段は、不織布、発泡体、及びこれらの組み合わせからなる群から選択される。好ましくは、前記調量手段は、約０．４０ｍｍ〜約２１．８８ｍｍのキャリパーと、約５９％〜約９３％の、本明細書に定義されている圧縮率とを有する。
【００２１】
前記流体調量手段は、第１の調量層（５０）と第２の調量層（６０）とを含む。前記第１の調量層（５０）は、図１Ａ、１Ｂ及び３に示されているように、前記くぼみ部（２０）の前記壁部（well）（２０２）の前記周縁部（２２２）の上に置かれている。
【００２２】
前記第２の調量層（６０）は、前記プレート（１０）の前記内表面（１０１）の上に、好ましくは、前記プレート（１０）の前記外辺部（１０３）に沿って置かれている。前記第１の調量層（５０）及び第２の調量層（６０）は、前記塗布用具（１）が前記の閉じた状態のときに、前記第１の調量層（５０）及び前記第２の調量層（６０）が実質的に並置されて前記流体調量手段を提供するように配置される。
【００２３】
前記毛髪配向部材（２）と、後述のような第１の調量層（５０）及び第２の調量層（６０）を含む流体調量手段との組み合わせにより、前記塗布用具（１）は、きれいで乱雑にならないだけでなく、有効な毛髪ストランド効果を提供するよう均一に、毛髪処理組成物を毛髪ストランドに塗布することができるようになる。
【００２４】
１．塗布用具
本発明による塗布用具（１）は、くぼみ部（２０）に移動可能な形で接合されたプレート（１０）を含む。本発明による前記塗布用具（１）の前記プレート（１０）及び前記くぼみ部（２０）は、人間工学的寸法のものであるため、どちらの手にも簡単に適合することができる。前記内表面（１０１）は、好ましくは、約２ｃｍ2〜約１５０ｃｍ2、好ましくは約２ｃｍ2〜約７０ｃｍ2、より好ましくは約３ｃｍ2〜約５０ｃｍ2、更に好ましくは約４ｃｍ2〜約３０ｃｍ2の表面積を有する。前記プレート（１０）の形は、様々であってよい。矩形、正方形、円形、長円形、楕円形又はこれらの組み合わせは、製造しやすいため有用であり得るが、他の形、とりわけ、消費者が認識しやすい他の形も用いてよい。
【００２５】
前記塗布用具（１）の前記プレート（１０）は、軸Ｙを含む。軸Ｙは、前記プレート（１０）の中央から真っ直ぐ延びていると共に、前記連結部（３０）を横断方向に、好ましくは前記連結部（３０）を実質的に垂直に横切っている。
【００２６】
前記プレート（１０）は、外辺部（１０３）、内表面（１０１）及び外表面（１０２）を含む。前記くぼみ部（２０）は、底部（２０１）、壁部（２０２）を含み、前記壁部（２０２）は、周縁部（２２２）を含む。前記周縁部（２２２）は、前記くぼみ部（２０）の開口部（２０３）及び内部容積部（２０４）を画定する。前記内部容積部（２０４）は好ましくは、毛髪処理組成物を収容するためのものである。
【００２７】
好ましくは、前記プレート（１０）の前記外辺部（１０３）及び前記くぼみ部（２０）の前記壁部（２０２）の前記周縁部（２２２）は、曲線状でも尖っていてもよい。前記プレート（１０）の前記外辺部（１０３）及び前記くぼみ部（２０）の前記壁部（２０２）の前記周縁部（２２２）は、それぞれ独立して、ある長さを有する。好ましくは、前記外辺部（１０３）及び前記周縁部（２２２）は、実質的に等しい長さを有する。前記周縁部（２２２）は幅も含む。好ましくは、前記周縁部（２２２）の前記幅は、約１ｍｍ〜約２０ｍｍ、より好ましくは約２ｍｍ〜約１５ｍｍ、更に好ましくは約３ｍｍ〜約８ｍｍである。
【００２８】
前記プレート（１０）の前記内表面（１０１）は、図２Ａに示されているように実質的に平らであってもよいし、図５Ｌに示されているように凹状であってもよいし、図５Ｍに示されているように凸状であってもよい。これに加えて、前記内表面（１０１）は、図５Ｈに示されているように、波状のパターンを有してもよい。前記外表面（１０２）、前記壁部（２０２）及び前記底部（２０１）も、実質的に平ら、凹状、凸状、又は波状であってもよい。好ましくは、前記くぼみ部（２０）の前記底部（２０１）は実質的に平らである。
【００２９】
前記プレート（１０）及び前記くぼみ部（２０）は、毛髪処理組成物を支持できるいずれかの既知の材料又は材料の組み合わせから製造してよい。好適な材料は、ポリオレフィン、例えばポリプロピレン、ポリエチレン又はポリエチレンテレフタレートのような、ポリマー樹脂である。使用できる他の材料としては、ポリ塩化ビニル、ポリアミド、アセチル、アクリロニトリルブタジエンスチレン、アクリル、アクリロニトリルスチレンアクリレート、エチレンビニルアルコール、ポリカーボネート、ポリスチレン、シリコーン若しくは熱可塑性エラストマー、適切な場合には熱可塑性バルカネート（vulcanate）若しくはコポリマー、可撓性のある柔軟な基材、例えば板紙、金属系の基材及びアルミニウム箔、フィルム状基材、若しくは複数の積層、又は前記材料の複数の層の組み合わせが挙げられる。
【００３０】
前記プレート（１０）及び前記くぼみ部（２０）の製造方法としては、射出成形、共射出成形、オーバーモールディング、インモールドアセンブリ、圧縮成形、吹込成形、ブリスター型シェルの熱成形又は真空成形、及び水平面又は垂直面におけるキャリアプラスチック又はボード材料上への積層を挙げることができるが、これらに限定されない。
【００３１】
連結部（３０）は、前記塗布用具（１）が開いた状態から閉じた状態に切り替わることができるように、前記プレート（１０）と前記くぼみ部（２０）とを移動可能な形で接合される。前記塗布用具（１）は、図２Ａでは、閉じた状態で示されている。前記用具（１０）が閉じた状態であるとき、前記プレート（１０）の前記内表面（１０１）は、前記くぼみ部（２０）の前記開口部（２０３）と並置関係にある。前記塗布用具（１）が閉じた状態のとき、前記プレート（１０）の前記外辺部（１０３）は、前記くぼみ部（２０）の前記壁部（２０）の前記周縁部（２２２）からの平均距離（Ｄ１）を有する。前記平均距離（Ｄ１）は、好ましくは約０．５ｍｍ〜約５．０ｍｍ、より好ましくは約０．８ｍｍ〜約４．０ｍｍ、更に好ましくは約１．０ｍｍ〜約３．０ｍｍである。平均距離（Ｄ１）は、後述のように、ミツトヨデジマチック（Mitutoyo Digimatic）キャリパーを用いて割り出した。
【００３２】
前記プレート（１０）と前記くぼみ部（２０）は、ユーザーの手、例えば親指と人差し指の間を含め、連結部（３０）のための上記の要件を満たすいずれかの好適な手段によって連結する。１つの実施形態では、前記プレート（１０）及び前記くぼみ部（２０）は、ピンセット様又はトング様の連結部（３０）のアームの末端部に取り付けられている。別の実施形態では、前記プレート（１０）と前記くぼみ部（２０）は、１つ以上のヒンジ、好ましくは１つのヒンジによって連結する。好ましくは、前記連結部（３０）は、前記プレート（１０）の前記外辺部（１０３）、及び前記くぼみ部（２０）の前記周縁部（２２２）と接触すると共に、これらに隣接して配置される。
【００３３】
連結部（３０）は、塗布用具（１）の制御に対するユーザー感覚を向上させるために、また、ユーザーが、どちらの手を用いても、塗布用具（１）を毛髪ストランドの各束まで正確かつ簡単に誘導できるようにするために、必要である。
【００３４】
２．毛髪配向手段
本発明の塗布用具（１）は、少なくとも１つの毛髪配向手段を更に含む。前記毛髪配向手段は、前記プレート（１０）の前記内表面（１０１）から突出している。前記毛髪配向手段の存在により、毛髪ストランドは前記くぼみ部（２０）の中で確実に曲げられる。理論に束縛されるものではないが、毛髪配向手段により、前記毛髪ストランド、好ましくは毛髪ストランドの束は、前記くぼみ部（２０）の前記開口部（２０３）においてのみならず、前記くぼみ部（２０）の前記内部容積部（２０４）内でも、前記毛髪処理組成物と接触できるようになると考えられる。これにより、後述のように、塗布の均一性、特に毛髪ストランドの毛根から先端までの均一性が向上する。
【００３５】
本発明の１つの実施形態では、前記毛髪配向手段は、前記プレート（１０）の前記内表面（１０１）から突出している部材（４０）であり、前記部材（４０）は、図３に示されているように、好ましくは実質的に角錘台の形状を有する。前記部材（４０）は、様々な形状を有してもよく、この形状としては、平行六面体形状、立方体形状、円筒形状、又は図５Ａに示されているような円錘形状若しくは角錐形状が挙げられるが、これらに限定されない。前記部材は、図５Ｃに示されているように、実質的に平行六面体の形状を有してもよい。また、前記部材（４０）は、複数の独立したユニットが合わさってグループ化したもので構成されていてもよく、前記独立したユニットは、図５Ｂに示されているように、束毛、歯群、又は歯（４１）を含んでよい。前記部材（４０）は、図３に示されているように、好ましくは実質的に角錐台の形状を有する。本明細書に示されていない別の実施形態では、前記部材（４０）は、円形基部を介して回転可能な形で、２本のピンを介して前記内表面（１０１）に嵌合する円筒部を含み、前記プレート（１０）の前記内表面（１０１）から出ている。
【００３６】
前記部材（４０）は、最大高（Ｈ）で前記プレート（１０）の前記内表面（１０１）から突出しており、最大幅（Ｗ）及び最大長（Ｌ）で、前記内表面（１０１）に沿って延びている。前記部材（４０）は好ましくは、前記最大高（Ｈ）で、前記軸Ｙと直交して突出している。前記部材（４０）は、その最大長（Ｌ）で、前記軸Ｙに沿ってか、又は、前記軸Ｙと実質的に平行にか、又は前記軸Ｙを横断してかのいずれかで、前記プレート（１０）の前記内表面（１０１）に沿って延びていてもよい。
【００３７】
好ましくは、前記最大長（Ｌ）は、前記最大幅（Ｗ）の少なくとも２倍である。最大長（Ｌ）は、好ましくは約２０．０ｃｍ〜約０．２ｃｍ、より好ましくは約１５．０ｃｍ〜約０．３ｃｍ、更に好ましくは約１０．０ｃｍ〜約０．５ｃｍである。最大幅（Ｗ）は好ましくは、約２．５ｃｍ〜約０．０１ｃｍ、より好ましくは約１．０ｃｍ〜約０．０２ｃｍ、更に好ましくは約０．５ｃｍ〜約０．０３ｃｍである。最大高（Ｈ）は好ましくは、約５．０ｃｍ〜約０．１ｃｍ、より好ましくは約２．５ｃｍ〜約０．２ｃｍ、更に好ましくは約１．５ｃｍ〜約０．３ｃｍである。
【００３８】
前記塗布用具（１）が閉じた状態であるとき、前記部材（４０）は、前記くぼみ部（２０）の前記底部（２０１）と接触しないため、通路が残り、前記毛髪ストランド、好ましくは前記毛髪ストランドの束は拘束されない。
【００３９】
本発明による別の実施形態では、前記毛髪配向手段は、第１フィン（７０）を含み、好ましくは、図２Ａに示されているように、前記プレート（１０）の前記内表面（１０１）から独立して突出した、第１フィン（７０）及び第２フィン（７１）を含む。本発明の範囲内の「フィン」という用語は、好ましくは後述のように実質的に一定の厚みの、材料のストリップ又はシートを画定する。前記第１フィン（７０）及び／又は第２フィン（７１）の形状は、様々であってよく、好ましくは、前記第１フィン（７０）及び／又は第２フィン（７１）は、平行六面体の形状を有し、この形状においては、６つの面のうちの２つが、残りの４つの面の面積の少なくとも２倍である面積にわたっている。これらの２つの面は、好ましくは実質的に平らな表面を有する。前記第１フィン（７０）及び第２フィン（７１）の形は、様々であってよい。矩形、正方形、円形、長円形、楕円形、又はこれらの組み合わせが有用であり得る。図２Ａに示されている矩形が好ましい。前記第１フィン（７０）及び第２フィン（７１）のその他の形及び形状を用いて、前記くぼみ部（２０）の前記内部容積部（２０４）内の前記毛髪ストランドを曲げてもよい。いくつかの例が、図５Ｄ、５Ｅ、５Ｆ及び５Ｇに示されている。
【００４０】
前記第１フィン（７０）は、前記プレート（１０）の前記内表面（１０１）から突出しており、約２ｍｍ〜約３０ｍｍの第１の平均長（Ｌ１）にわたって延びている。前記第１フィン（７０）は、前記プレート（１０）の前記内表面（１０１）と約１５°〜約７５°の角度αを形成する。好ましくは、図２Ａ及び２Ｂに示されているように、前記プレート（１０）の前記内表面（１０１）が実質的に平らなとき、前記角度αは、約３５°〜約５５°、より好ましくは約３５°〜約５０°である。好ましくは、第２フィン（７１）は、図２Ａ及び２Ｂに示されているように、前記第１フィン（７０）とは独立して前記プレート（１０）の前記内表面（１０１）から突出しており、この場合、前記第２フィン（７１）は、前記第１フィン（７０）とは独立して１５°〜７５°の角度βを形成する。前記第２フィン（７１）は、前記第１フィン（７０）とは独立して約２ｍｍ〜約３０ｍｍの第２の平均長（Ｌ２）にわたって延びている。好ましくは、前記プレート（１０）の前記内表面（１０１）が実質的に平らなとき、前記角度βは、約３５°〜約５５°、より好ましくは約３５°〜約５０°である。より好ましくは、前記プレート（１０）の前記内表面（１０１）は実質的に平らであり、前記第１フィン（７０）及び第２フィン（７１）は、前記の実質的に平らな内表面（１０１）と約３５°〜約５５°の実質的に等しい角度α及びβを形成する。好ましくは、前記第１フィン（７０）及び第２フィン（７１）は独立して、前記プレート（１０）の前記内表面（１０１）から突出しており、実質的に等しい第１及び第２の平均長（Ｌ１、Ｌ２）で延びている。
【００４１】
前記第１フィン（７０）及び第２フィン（７１）の各々は、末端縁（８０、８１）及び近位縁（９０、９１）を有する。前記近位縁（９０、９１）は、図２Ａに示されているように、前記プレート（１０）の前記内表面（１０１）に取り付けられた縁である。前記近位縁（９０、９１）は、前記第１フィン（７０）においては平均幅（Ｗ１）、第２フィン（７１）においては平均幅（Ｗ２）によってそれぞれ独立して、かつ、前記第１フィン（７０）においては平均厚（Ｔ１）、前記第２フィン（７１）においては平均厚（Ｔ２）によって、それぞれ独立して、境界が定められている。前記平均幅（Ｗ１）及び（Ｗ２）は、好ましくは約２０ｃｍ〜約０．５ｃｍ、より好ましくは約１５ｃｍ〜約１．０ｃｍ、更に好ましくは約１０ｃｍ〜約１．５ｃｍの幅である。前記平均厚（Ｔ１）及び（Ｔ２）は、好ましくは約５ｍｍ〜約０．１ｍｍ、より好ましくは約４ｍｍ〜約０．５ｍｍ、更に好ましくは約３ｍｍ〜約０．５ｍｍである。また、好ましくは、前記末端縁（８０、８１）は、近位縁（９０、９１）のように、実質的に等しい平均幅（Ｗ１）及び（Ｗ２）、並びに実質的に等しい平均厚（Ｔ１）及び（Ｔ２）を有する。前記第１フィン（７０）及び第２フィン（７１）は、図５Ｐに示されているように、突出部（７５）を有してもよく、あるいは、特に視覚的又は触知的装飾を提供する目的でエンボス加工されていてもよい。
【００４２】
前記第１フィン（７０）及び第２フィン（７１）は、相互に対していずれかの配向で、前記プレート（１０）の前記内表面（１０１）から突出していてもよい。１つの実施形態では、前記第１フィン（７０）及び第２フィン（７１）、並びにそれらの近位縁（９０、９１）は、図５Ｎに示されているように、湾曲している。好ましくは、図２Ａに示されているように、前記第１フィン（７０）の前記近位縁（９０）が、前記第２フィン（７１）の前記近位縁（９１）と実質的に平行であるように、前記第１フィン（７０）及び第２フィン（７１）は、前記内表面（１０１）から突出している。好ましくは、前記第１フィン（７１）の前記近位縁（９０）、より好ましくは、前記第１フィン（７０）の前記近位縁（９０）及び前記第２フィン（７１）の前記近位縁（９１）は、図２Ａ及び２Ｂに示されているように、前記プレート（１２０）の前記軸Ｙと平行に、前記内表面（１２１）から突出している。
【００４３】
前記塗布用具（１）が、第１フィン（７０）及び第２フィン（７１）を含むとき、かつ、前記第１フィン（７０）の前記近位縁（９０）及び前記第２フィン（７１）の前記近位縁（９１）が独立して、平行な形で、前記プレート（１０）の前記内表面（１０１）から突出しているか否かに関係なく、前記第１フィン（７０）の前記末端縁（８０）及び前記第２フィン（７１）の前記末端縁（８１）は、図２Ｂに示されているように、互いの方に向かって接近しても、反対方向に向かって離れてもよく、あるいは、接近することなく同じ方向に向いていてもよい。
【００４４】
本発明による前記塗布用具（１）の１つの実施形態では、前記塗布用具（１）は、第１フィン（７０）及び第２フィン（７１）を含み、前記第１フィン（７０）及び第２フィン（７１）は独立して、実質的に等しい平均長（Ｌ１）及び（Ｌ２）分延びており、前記プレート（１０）の前記内表面（１０１）は実質的に平らであり、前記第１フィン（７０）及び前記第２フィン（７１）は、前記の実質的に平らな内表面（１２１）と約３５°〜約５５°の実質的に等しい角度α及びβを形成し、前記第１フィン（７０）の前記近位縁（９０）及び前記第２フィン（７１）の前記近位縁（９１）は、前記プレート（１０）の前記軸Ｙと平行に、前記の実質的に平らな内表面（１０１）から突出しており、前記末端縁（８０、８１）は、図２Ａに示されているように、互いの方に向かって接近している。第１及び第２フィンの互いに対する配向を選択することにより、塗布用具は、ユーザーが多方向又は一方向で使用できるように提供されることができる。
【００４５】
前記毛髪配向手段は、プレート（１０）又はくぼみ部（２０）を製造するために本明細書において前述した種々の材料で提供されてもよく、前記塗布用具（１）とは独立して製造されてもよい。好ましくは、前記毛髪配向手段は流体不透過性である。より好ましくは、前記毛髪配向手段は、ポリオレフィン、熱可塑性エラストマー及びこれらの混合物から選択される。特定の実施形態では、前記第１フィン（７０）及び第２フィン（７１）の両方、並びに前記プレート（１０）は、例えば熱可塑性エラストマーから、同じ射出成形型又は共射出成形型で製造されてもよい。
【００４６】
３．流体調量手段
本発明による塗布用具（１）は、本明細書に記載の第１の調量層（５０）及び第２の調量層（６０）を含む流体調量手段を特徴とする。前記流体調量手段は、不織布、発泡体及びこれらの組み合わせからなる群から選択される。前記第１の調量層（５０）は、前記くぼみ部（２０）の前記周縁部（２２２）の上に配置されている。前記第２の調量層（６０）は、前記内表面（１０１）の上に、より好ましくは、前記プレート（１０）の前記外辺部（１０３）に沿って配置されている。
【００４７】
理論に束縛されるものではないが、前記くぼみ部（２０）の前記周縁部（２２２）の上に置かれた第１の調量層（５０）と、好ましくは前記外辺部（１０３）に沿って、前記プレート（１０）の前記内表面（１０１）の上に置かれた第２の調量層（６０）とを含む、前記流体調量手段を有することにより、前記塗布用具（１）が閉じた状態のときに、前記第１の調量層（５０）及び前記第２の調量層（６０）が実質的に並置されることで、前記塗布用具（１）は、毛髪処理組成物を塗布するだけでなく、毛髪ストランド全体に沿って均一に塗布することができると考えられる。均一性は、毛髪トリートメントの塗布において、特に前記毛髪処理組成物がハイライト組成物又は染色組成物であるとき、重要である。これらの組成物によって提供される永続的効果は、塗布後直ちに目に見えるものではなく、また結果が魅力的なものでない場合に、簡単には逆戻りできない。つまり、塗布用具は、前記毛髪ストランドの束の毛根から先端までの長さに沿って、また同様に、前側表面及び後側表面上で、毛髪ストランドの束の幅にわたって、均質な塗布を確実に実現しなければならない。したがって、塗布される毛髪処理組成物の量のみならず、塗布する方法も重要である。本発明による塗布用具（１）は、毛髪処理組成物を毛髪ストランド、好ましくは毛髪ストランドの束に塗布するのを容易にするためだけに設計されているのではない。また、非常に均質かつ再現可能な塗布作業を実現するように、前記塗布用具（１）は、塗布用具（１）を使用している間、前記毛髪処理組成物が過剰な量で塗布されること、及び前記毛髪ストランドから取り除かれることを防ぐ。
【００４８】
第１の調量層（５０）及び第２の調量層（６０）を含む流体調量手段は、好ましくは独立して不織布、発泡体又はこれらの組み合わせの群から選択される。より好ましくは、流体調量手段は、以下で定義されているように、特定のキャリパー及び圧縮率を有する。
【００４９】
キャリパーは、前記流体調量手段の厚みを示し、流体調量手段が毛髪ストランドとどのように相互作用するかを決定する。前記第１の調量層（５０）及び第２の調量層（６０）のそれぞれは、独立して平均キャリパーを有し、前記第１の調量層（５０）及び第２の調量層（６０）の平均キャリパーの合計により、前記流体調量手段の厚みが算出される。プレートの分離箇所の平均距離（Ｄ１）は本発明の塗布用具間で異なることがあり、また塗布用具が閉じた状態のときに第１の調量層（５０）及び第２の調量層（６０）は実質的に並置されなければならないことを考えると、流体調量手段の望ましい厚みは、プレートの分離箇所の平均距離（Ｄ１）に依存する。好ましくは、流体調量手段の厚みと平均距離との比率は、次の数学的関係によって定義される。
４．３７５×Ｄ１≧流体調量手段の厚み≧０．７９２×Ｄ１
【００５０】
前記毛髪ストランドが、前記プレート（１０）と前記くぼみ部（２０）との間にぴったり収まることができるのは、流体調量手段の厚みに関係しているのみならず、第１の調量層（５０）及び第２の調量層（６０）が、特定の力の下で、規定の時間範囲の間、圧縮できることにも関係している。
【００５１】
理論に束縛されるものではないが、好ましくは特定の圧縮率を有する、第１の流体調量層（５０）及び第２の流体調量層（６０）を有する流体調量手段は、本発明による塗布用具（１）で、塗布したばかりの毛髪処理組成物をこすり落としたり拭い取ったりしないように、均一に毛髪ストランドに毛髪処理組成物を塗布するのに役立つと考えられる。
【００５２】
好ましくは、前記第１の調量層（５０）及び第２の調量層（６０）のそれぞれは、約０．５ｋＰａにおいて、約５９％〜約９３％の圧縮率を有する。前記圧縮率は、以下の試験方法で測定されるとき、好ましくは約６０％〜約８５％、より好ましくは約６０％〜約７７％である。
【００５３】
前記第１の調量層（５０）及び前記第２の調量層（６０）は好ましくは、本明細書で定義されているように、実質的に等しいキャリパー及び／又は実質的に等しい圧縮率を有する。
【００５４】
前記第１の調量層（５０）は、前記周縁部（２２２）の上に、連続又は不連続な形で置かれていてもよい。不連続とは、前記調量層が、座状（loci）部若しくは島状部を形成する場合があるか、又は中断される場合があることを意味する。１つの実施形態では、前記周縁部（２２２）が目に見えずに、前記第１の調量層（５０）によって完全に覆われるように、前記第１の調量層（５０）は、前記壁部（２０２）の前記周縁部（２２２）全体の上に置かれている。別の実施形態では、前記第１の調量層（５０）は、前記周縁部（２２２）の一部の上にのみ置かれており、例えば、図２Ａに示されているように、前記周縁部（２２２）の前記長さの一部のみが、前記第１の調量層（５０）を含んでよい。好ましくは、前記第１の調量層及び第２の調量層（６０）は、前記連結部（３０）に隣接して配置される。ただし、各実施形態において、第１の調量層（５０）及び第２の調量層（６０）は、前記塗布用具が閉じた状態のときに、前記第１の調量層（５０）及び前記第２の調量層（６０）が実質的に並置されるように配置される。並置されるという用語は、本明細書で使用するとき、前記第１の調量層（５０）又は第２の調量層（６０）のいずれか一方が他方より大きい実施形態を含む。
【００５５】
本発明による前記塗布用具（１）が毛髪配向手段として部材（４０）を含むとき、後述のように、前記部材（４０）と対応するように、前記第１の調量層（５０）が前記周縁部（２２２）の上に置かれており、前記第２の調量層（６０）が前記プレート（１０）の内表面（１０１）の上に置かれている。前記塗布用具（１）が、例えば図３に示されているような部材（４０）を含むとき、前記部材（４０）は、最大長（Ｌ）で、前記内表面（１０１）に沿って延びている。本発明による塗布用具（１）による毛髪処理組成物の塗布は、前記プレート（１０）と前記くぼみ部（２０）との間に前記毛髪ストランドを配置することによって行い、好ましくは、前記毛髪ストランドは、前記部材（４０）の前記最大長（Ｌ）を実質的に横断するように配置する。均一な塗布を達成するため、前記第１の調量層（５０）は、好ましくは前記周縁部（２２２）の一部の上に置かれており、前記第２の調量層（６０）は、前記塗布用具が閉じた状態のときに前記部材（４０）の前記最大長（Ｌ）に実質的に平行な内表面（１０１）の一部の上に置かれており、それによって前記第１の調量層（５０）及び第２の調量層（６０）が実質的に並置される。
【００５６】
図２Ａに示されているような本発明の別の実施形態では、前記毛髪配向部材は、前記毛髪配向部材（２）として第１フィン（７０）及び第２フィン（７１）を含む。前記第１フィン（７０）の前記近位縁（９０）及び前記第２フィン（７１）の前記近位縁（９１）は、前記プレート（１０）の前記軸Ｙと実質的に平行である。この実施形態では、前記第１の調量層（５０）は、好ましくは前記周縁部（２２２）の一部の上に置かれており、同様に、前記塗布用具（１）が閉じた状態のときに前記フィン（７０、７１）の前記近位縁（９０、９１）に実質的に平行な前記第２の調量層（６０）の上に置かれている。
【００５７】
明らかに、前述の両方の実施形態では、前記第１の調量層（５０）及び第２の調量層（６０）は、図４に示されているように、不連続（５０、５０’）、（６０、６０’）であり、前記部材（４０）の前記最大長（Ｌ）又は前記第１及び第２フィン（７０、７１）の前記末端縁（９０、９１）に平行な両側で、それぞれ前記壁部（２２２）の前記周縁部（２２２）及び前記プレート（１０）の前記内表面（１０１）の上に置かれていてもよい。
【００５８】
好ましくは、本発明による塗布用具（１）は、前記くぼみ部（２０２）の前記周縁部（２２２）の上に、後述のような封止手段（４０１）を含むとき、前記第１の調量層は、前記封止手段（４０１）に接触しているか否かを問わず、前記封止手段（４０１）に隣接して、前記周縁部（２２２）の上に置かれている。
【００５９】
１つの実施形態では、前記第２の調量層（６０）は、前記プレート（１０）の前記内表面（１０１）全体の上に置かれていてよい。前記第２の調量層（６０）は、部材又はフィンなどの前記毛髪配向手段の上に置かれていてよいが、好ましくは、前記第２の調量層（６０）は、前記毛髪配向手段の上には置かれていない。
【００６０】
別の実施形態では、前記第２の調量層（６０）は、前記内表面（１０１）の一部の上にのみ、好ましくは、前記プレート（１０）の前記外辺部（１０３）に沿って置かれている。
【００６１】
前記塗布用具（１）が第１の調量層（５０）を含むとき、前記プレート（１０）の前記内表面（１０１）が前記くぼみ部（２０）の前記開口部（２０３）と並置関係になると、前記第２の調量層（６０）が前記第１の調量層（５０）に並置されるように、前記第２の調量層（６０）は、前記プレート（１０）の前記内表面（１０１）の上に置かれている。
【００６２】
前記第１の調量層（５０）及び前記第２の調量層（６０）は独立して、約３ｍｍ〜約４０ｃｍ、好ましくは約５ｍｍ〜約１０ｃｍ、より好ましくは約８ｍｍ〜約５ｃｍの長さを有してもよい。
【００６３】
前記第１の調量層（５０）及び前記第２の調量層（６０）は独立して、前記長さに沿って一定又は不定の幅を有してもよい。前記第１の調量層（５０）及び前記第２の調量層（６０）は独立して、約１ｍｍ〜約２０ｍｍ、好ましくは約２ｍｍ〜約１５ｍｍ、より好ましくは約３ｍｍ〜約８ｍｍの幅を有してもよい。更に、前記第１の調量層（５０）及び前記第２の調量層（６０）は、その長さに沿って一定又は不定のキャリパーを有してもよい。
【００６４】
好ましくは、前記第１の調量層（５０）及び前記第２の調量層（６０）は、実質的に等しい幅及び実質的に等しい長さを有し、前記プレート（１０）が、前記くぼみ部（２０）の前記開口部（２０３）と並置関係になると、前記第２の調量層（６０）が実質的に、前記第１の調量層（５０）の鏡像になるように、前記第１の調量層（５０）は、前記周縁部（２２２）の上に、前記第２の調量層（６０）は、前記外辺部（１０３）に沿って前記内表面（１０１）の上に置かれている。更に好ましくは、前記第１の調量層（５０）及び前記第２の調量層（６０）は、実質的に等しくかつ一定の幅、長さ及びキャリパーを有する。
【００６５】
前記第１の調量層（５０）及び第２の調量層（６０）は、不織布、発泡体及びこれらの組み合わせからなる群から選択される。
【００６６】
好適な不織布は、アセテート繊維、アクリル繊維、セルロースエステル繊維、モダクリル繊維、ポリアミド繊維、ポリエステル繊維、ポリオレフィン繊維、ポリビニルアルコール繊維、レーヨン繊維、ポリエチレン発泡体、ケラチン繊維、セルロース繊維、絹繊維、及びこれらの組み合わせから選択された天然又は合成繊維から構成されてよい。不織布は、ポリオレフィン若しくはポリエステル等のモノコンポーネント構成成分繊維、ポリエチレン／ポリプロピレン若しくはポリエチレン／ポリエステルのシース／コア繊維又は並列繊維などのバイコンポーネント繊維、あるいは２つ以上の熱可塑性ポリマーのブレンドによって構成される２組成繊維（bi-constituent fibers）から構成されてもよい。
【００６７】
好適なカード不織材の例としては、ＰＧＩ２１４及びリベルテックス（Libeltex）０１−７６６  ＤＩ−４が挙げられる。好適な不織布の更なる例としては、ＵＳＦＥＬＴ  Ｆ−５０及びアールストロム（Ahlstrom）１８００８が挙げられる。
【００６８】
発泡材料は、低密度エラストマー、プラスチック、及び様々な多孔度を持つ他の材料から作製され、モールディング、キャスティング、押出成形、引抜成形、機械加工、熱成形、プラスチック溶接、吹込成形、ラピッドプロトタイピング技術、研削（grinding）、及び／又は他の特殊プロセスを使用して完成形状へと加工できる連続気泡発泡体、例えば可撓性発泡体、及び網状発泡体（reticular foams）、及びシンタクチック発泡体から選択してよい。発泡材料は、アクリロニトリル−ブタジエン−スチレン、アクリル、エポキシ樹脂、フルオロポリマー、イソプレン−スチレン及びスチレン−ブタジエン−スチレン、種々の系に基づく合成ゴム又はエラストマー、例えばシリコーン、ポリウレタン及びネオプレン、ニトリルゴム、天然又は植物系原材料から形成されるプラスチック又はエラストマー、例えば天然ゴム（ポリイソプレン）又はバルカナイズドファイバー、水性及び水系樹脂並びにラテックス材料を含む種々の化学系から構成してもよい。発泡体用の化学系としては、エチレンコポリマー、発泡ポリエチレン、ポリカーボネート、ポリエステル、ポリエーテル、ポリエーテルイミド、ポリイミド、ポリオレフィン、ポリプロピレン、フェノール、ポリ尿素、及びビニルを挙げることができる。好適な発泡体の例としては、レクティセルブルプレン（Recticel Bulpren）Ｄ３２１３３、レクティセル（Recticel）Ｄ２７１５０  Ｂ、及びレクティセルブルプレン（Recticel Bulpren）Ｓ３１０４８が挙げられる。
【００６９】
また、本発明の流体調量手段としては、物理的に重ね合わせるか、合わせて連続して接合（積層）するか、不連続なパターンでか、又は別個の座状部で外縁を結合することによって、同じ又は異なる材料の１つ以上の重ね層を有する複合材料も挙げられる。
【００７０】
前記第１の調量層（５０）は前記周縁部（２２２）に、第２の調量層（６０）は前記プレート（１０）の前記内表面（１０１）に、任意の好適な方法で取り付けてもよい。ただし、前記方法が、前記調量層（５０、６０）の性能を損なわない又は変更しないことを条件とする。
【００７１】
本発明者らは驚くべきことに、毛髪処理組成物を毛髪ストランドに満足のいくように塗布するために、前記毛髪ストランドが塗布用具（１）の中に充填されている前記毛髪処理組成物と接触する必要があるのみならず、前記毛髪処理組成物を、塗布の実行中に取り除くことなく、前記毛髪ストランドに均一に塗布しなければならないことを見出した。
【００７２】
塗布用具（１）によって毛髪処理組成物を毛髪ストランド、好ましくは毛髪ストランドの束に塗布するために、前記毛髪ストランドは、前記プレート（１０）と、毛髪処理組成物が事前に充填されている前記くぼみ部（２０）との間に、実質的に真っ直ぐに配置する。前記プレート（１０）は、前記毛髪ストランドを前記くぼみ部（２０）の中に曲げ入れるための毛髪配向手段を含む。
【００７３】
理論に束縛されるものではないが、前記塗布用具（１）が本明細書に記載の流体調量手段を含むとき、毛髪処理組成物は、毛根から先端まで毛髪ストランドの束に沿って、また同様に、前側表面及び後側表面上で、毛髪ストランドの束の幅にわたって、より均一に分配されると考えられる。したがって、過剰な量の前記毛髪処理組成物を塗布した場合、前記調量手段は、前記毛髪処理組成物を取り除くことなく、前記毛髪ストランドの長さに沿って、前記毛髪処理組成物を均一かつ均質に分配することができる。
【００７４】
４．付加的な機構
塗布用具（１）は、１つ以上の封止手段を更に含んでもよく、好ましくは、１つの封止手段（４０１）が、毛髪処理用塗布用具（１）内に存在する。前記封止手段（４０１）は、図３に示されているように、前記くぼみ部（２０）内において、前記壁部（２０２）の位置で前記底部（２０１）上に、前記連結部（３０）に隣接させて配置してもよい。前記封止手段（４０１）は、前記くぼみ部（２０）の前記底部（２０１）上に、前記壁部（２０２）に隣接させて、連結部（３０）の側面に、又は前記内表面（１０１）上に、前記連結部（３０）に隣接させて配置してもよい。好ましくは、前記封止手段（４０１）は、前記連結部（３０）の一部である。
【００７５】
前記プレート（１０）の前記内表面（１０１）が、前記くぼみ部（２０）の前記開口部（２０３）と並置関係になるとき、毛髪処理組成物が連結部（３０）の方に移動するのを防ぐと共に、毛髪が前記連結部（３０）内に閉じ込められるのを防ぐ目的で、封止手段（４０１）を提供する。封止手段（４０１）の製造に有用な材料には、本明細書で前記第１フィン（７１）に関して記載した材料、及び発泡体が挙げられる。
【００７６】
１つ以上の止め具機構を前記塗布用具（１）の上に組み入れてもよい。止め具機構は、前記連結部（３０）と連携して、前記プレート（１０）の前記内表面（１０１）が、前記くぼみ部（２０）の前記開口部（２０３）と並置関係になると、前記外辺部（１０３）と前記周縁部（２２２）との間の平均距離（Ｄ１）が確実に制御されるようにする。図１Ａに示されているような１つの実施形態では、２つの止め具機構が、前記くぼみ部（２０）の前記壁部（２０１）の前記周縁部（２２２）の上に構成されており、好ましくは、前記２つの止め具機構は、２つの実質的に同一の半球（４０２、４０３）である。止め具機構（４０２）の製造に有用な材料は、本明細書に記載のプレート（１０）又はくぼみ部（２０）の製造に関して前述されている。
【００７７】
本明細書に開示されている塗布用具（１）は、前記プレート（１０）の外表面（１０２）の上、及び／又は前記くぼみ部（２０）の底面（２０１）の上に把持区域を更に含んでもよい。前記把持区域は、把持部を提供するように設計されている。把持手段は、ユーザーの指に適合する締結手段として提供してもよい。
【００７８】
指を使って、毛髪処理組成物を塗布すべき毛髪ストランドを選択してもよい。しかし、本発明の塗布用具（１）には、毛髪ストランド選択手段を更に設けてもよい。毛髪ストランドの選択手段の例は、これらに限定されるものではないが、スパイク、フック、鉤針、クリップ又はビーズである。毛髪ストランド選択手段は、前記プレート（１０）及び／又は前記くぼみ部（２０）の上に組み入れてもよい。ペンナイフの刃で起こる動きのように、毛髪ストランド選択手段が、前記プレート（１０）及び／又は前記くぼみ部（２０）に近い位置から遠い位置まで揺れ動くことができるように、前記手段は、スナップ機構によって、前記プレート（１０）及び／又は前記くぼみ部（２０）に取り付けてもよい。また、毛髪ストランド選択手段は、本明細書で後述されているようなキットの構成要素として、本発明の塗布用具（１）に別個に提供してもよい。
【００７９】
５．使用方法
本発明は、本発明による前記塗布用具（１）を用いて、毛髪処理組成物を毛髪ストランド、好ましくは毛髪ストランドの束に塗布する方法にも関し、前記塗布用具（１）は、前記毛髪処理組成物を含み、前記方法によって、前記毛髪ストランドを前記塗布用具（１）と接触させる。前記塗布用具（１）には、１つ以上の毛髪処理組成物を事前に充填してもよいが、好ましくは、前記毛髪ストランド、好ましくは毛髪ストランドの束を前記塗布用具（１）と接触させる前に、１つ以上の毛髪処理組成物を前記塗布用具（１）の中に充填する。
【００８０】
毛髪処理組成物は、単一の毛髪処理組成物であってよく、又は毛髪に塗布する前に第２の毛髪処理組成物と混合する必要のある第１の毛髪処理組成物によって形成してもよい。好ましくは、前記第１及び第２の毛髪処理組成物を混合して、第３の毛髪処理組成物を形成する。前記第３の毛髪処理組成物は、前記毛髪処理用塗布用具（１）によって毛髪ストランド、好ましくは毛髪ストランドの束と接触させる前に、前記毛髪処理用塗布用具（１）内に充填する。
【００８１】
毛髪処理塗布用具（１）に１つ以上の毛髪処理組成物を充填したら、ユーザーは、前記塗布用具（１）の前記プレート（１０）の外表面（１０２）及び前記くぼみ部（２０）の底部（２０１）を片手で、好ましくは親指と人差し指の間に持つ。ユーザーが、処理する毛髪ストランドを選択したら、塗布用具（１）を開いた状態にしたまま、前記毛髪ストランド、好ましくは前記毛髪ストランドの束を、前記プレート（１０）と前記格納部分（２０）との間に配置する。続いて、前記プレート（１０）の前記内表面（１０１）を前記くぼみ部（２０）の前記開口部（２０３）と並置関係にする。前記毛髪ストランドの長さに沿って、好ましくは前記毛髪ストランドの束上で、前記塗布用具（１）を通して、１つ以上の毛髪処理組成物を塗布する。より好ましくは、前記毛髪処理用塗布用具（１）は、前記毛髪ストランドの毛根ラインに、好ましくは、前記毛髪ストランドの束の毛根ラインに配置する。また、毛髪の限られた領域のみに毛髪処理組成物を塗布してもよく、即ち、ユーザーは、毛髪処理組成物で毛根ラインのみをコーティングすることができる。通す作業は、１回超、好ましくは２回、繰り返してよい。
【００８２】
最後に、毛髪処理組成物の塗布は、ぬれた状態又は乾燥した状態の毛髪上で行われてもよく、任意に、第１の組成物の毛髪への塗布と第２の組成物の毛髪への塗布との間に、リンス又はシャンプー工程を含めることができる。
【００８３】
６．毛髪処理組成物、その使用法、及びキット
本発明は更にキットを含む。前記キットは、本発明による塗布用具（１）と、１つ以上の個別包装された毛髪処理組成物とを含む。好ましくは、これらの組成物は、スタイリング組成物、染色組成物、ハイライト組成物又はこれらの組み合わせからなる群から選択される。これらの毛髪処理組成物のそれぞれ又はそれらの組み合わせを用いて、上記の前記毛髪用具（１）による毛髪ストランド効果を提供することができる。好ましくは、前記１つ以上の毛髪処理組成物は、１ｓ-1において、約１０Ｐａ〜約１６０Ｐａ、より好ましくは約１２Ｐａ〜約１２０Ｐａ、最も好ましくは１５Ｐａ〜８０Ｐａのレオロジーを有する。より好ましくは、前記１つ以上の毛髪処理組成物はハイライト組成物である。
【００８４】
毛髪処理組成物のレオロジーは、ＴＡインスツルメンツ（TA Instruments）のアドバンスト・レオメーター（Advanced Rheometer）（ＡＲ）２０００を用いて測定する。この計器には、１５．０ｍｍの内半径を有する同心円筒基部と、１４．００ｍｍの半径及び４２．００ｍｍの高さを有する標準サイズの羽根構造が設けられている。この構造ギャップは、４０００マイクロメートルに設定する。１つを超える製剤で構成される毛髪処理組成物は、それらの種々の製剤をサンプルポット内で３０秒間、手で振って十分に混合することによって調製する。続いて、混合済みの毛髪処理組成物を直ちに同心円筒基部の中に配置し、羽根の頂部が毛髪処理組成物によって覆われるように、標準的な羽根構造を構造ギャップまで下げる。温度を２５℃に平衡化してから、剪断速度が対数的に約０．０５から約２００ｓ-1に上昇する前に、毛髪処理組成物を更に３０秒間置いて、１０個あたり７つの点を記録する。全ての段階において、温度を２５℃に保つ。剪断応力は、１．０ｓ-1において記録すると共に、Ｐａで報告する。
【００８５】
本発明による毛髪処理用塗布用具（１）と共に用いることのできる毛髪処理組成物の例は、下記の表１に示されている。
【００８６】
毛髪処理組成物は、既知であるか、従来より使用されているか、さもなければ、毛髪処理組成物、特に酸化ブリーチング及び染料組成物で用いるのに有効な構成成分を含んでよく、その構成成分としては、顕色剤染料化合物、カップラー染料化合物、直接染料、酸化剤、還元剤、増粘剤、キレート化剤（chelants）、ｐＨ調節剤及び緩衝剤、アルカリ化剤、炭酸イオン源及びラジカルスカベンジャー系、グリシン、アモジメチコン、エチレンジアミン二コハク酸、アニオン性、カチオン性、非イオン性、両性若しくは双極性界面活性剤、又はこれらの混合物、アニオン性、カチオン性、非イオン性、両性若しくは双極性ポリマー、疎水変性ポリマー、又はこれらの混合物、芳香剤、分散剤、溶媒、過酸化物安定化剤、キレート化剤（chelants）、湿潤剤、タンパク質及びその誘導体、植物材料（例えば、アロエ、カモミール及びヘンナ抽出物）、シリコーン（揮発性又は不揮発性、変性又は未変性）、被膜形成剤、セルロースポリマー及びそれらの誘導体、セラミド、保存剤、ゲルネットワーク、変色指示剤及び乳白剤が挙げられるが、これらに限定されない。好適ないくつかの補助剤は、国際化粧品成分事典及びハンドブック（International Cosmetics Ingredient Dictionary and Handbook）（第８版、化粧品、洗面用化粧品、及び芳香剤協会（The Cosmetics, Toiletry, and Fragrance Association）に列挙されている。特に、第２巻、３項（化学分類）及び４項（機能）は、特定の目的又は複数の目的を達成するための具体的な補助剤を識別するのに有用である。代表的であるが網羅的ではないポリマー及び増粘剤のリストは、「化粧品用のポリマー及び増粘剤百科事典（The Encyclopaedia of Polymers and Thickeners for Cosmetics）」、ロバート・Ｙ・ロックヘッド（Robert Y. Lochhead）、ＰｈＤ、及びウィリアム・Ｒ・フロン（William R. Fron）編集・監修、南ミシシッピ大学（University of Southern Mississippi）、ポリマー科学学部（Department of Polymer Science）に見出すことができる。
【００８７】
本発明は更にキットを含む。前記キットは、上記のような塗布用具（１）と、１つ以上の個別包装された毛髪処理組成物とを含む。１つを超える塗布用具（１）が前記キット内に含まれていてもよい。
【００８８】
本発明の１つの実施形態では、前記１つ以上の個別包装された毛髪処理組成物は、第１の個別包装された毛髪処理組成物、及び第２の個別包装された毛髪処理組成物を含む。前記第１及び第２の個別包装された毛髪処理組成物を混合すると、第３の毛髪処理組成物が形成される。そのような組成物の例としては、典型的には酸化染料と酸化剤とを含有するいわゆる半永久及び永久着色剤、並びに、酸化剤とアルカリ化剤とを含有し、任意に過硫酸塩を有するハイライト用組成物が挙げられる。好ましくは、前記第１の個別包装された組成物は酸化剤を含み、前記第２の個別包装された組成物はアルカリ化剤を含む。好ましくは、前記酸化剤は過酸化水素である。より好ましくは、前記第１及び／又は第２の個別包装された毛髪処理組成物の少なくとも１つは、過硫酸塩を含む。
【００８９】
本発明によるキットの１つの実施形態では、前記第１の個別包装された毛髪処理組成物は、前記第１の個別包装された毛髪処理組成物の重量比で、過酸化水素を３％〜１２％含み、前記第２の個別包装された毛髪処理組成物は、粉末又はペースト活性化剤の形態であり、前記第２の個別包装された毛髪処理組成物は、前記第２の個別包装された毛髪処理組成物の重量比で、過硫酸ナトリウム、過硫酸カリウム、過硫酸アンモニウム又はこれらの混合物から選択された過硫酸塩を１０％〜６０％含む。前記キットは、任意に、第３の個別包装された毛髪処理組成物を含み、この第３の組成物は、前記第３の個別包装された毛髪処理組成物の重量比で、水性賦形剤中のアルカリ化剤を３％〜２５％含む。
【００９０】
本発明の別の実施形態では、前記第１の個別包装された毛髪処理組成物は、前記第１の個別包装された毛髪処理組成物の重量比で、過酸化水素を１．５％〜１２％含み、前記第２の個別包装された毛髪処理組成物は、前記第２の個別包装された毛髪処理組成物の重量比で、直接染料、酸化染料前駆体、酸化染料カップラー、又はこれらの混合物から選択された染料を０．０１％〜６％含む。
【００９１】
追加的な個別包装された毛髪処理組成物がキット内に存在してもよく、その組成物は、シャンプー、コンディショナー、又はスタイリング製品を含んでよい。
【００９２】
以下には、本発明による毛髪処理用塗布用具（１）の中に充填してよい毛髪処理組成物のいくつかの例が示されている。
【００９３】
相１（表１の１．１、２．１、３．１、４．１）のいずれかの製剤約４５ｇ（液体形態）を、粉末形態である相２（表１の１．２、２．２、３．２、４．２）のいずれかの製剤約１５ｇと混合することによって、毛髪ブリーチング組成物を調製した。混合は、以下のように行った。相２の粉末製剤を混合トレイの中に入れ、相１の液体製剤を前記粉末の上に注いだ。続いて、へらを用いて、これら２つの製剤を合わせて混合して、ブリーチング組成物を形成した。ブリーチング組成物が目視で均質になったときに、混合を終わらせた。
【００９４】
表１：混合するとハイライト組成物を形成できる相１及び２の処方。全ての成分は製剤相に対する重量パーセントで示されている。
【００９５】
【表１】
2010528800.tif 000003
1ステアリルアルコール  クロダコール（Crodacol）Ｓ−９５、クローダ社（Croda, Inc.）
2セチルアルコール、クロダコール（Crodacol）Ｃ−７０、クローダ社（Croda, Inc.）
3セテアレス（Cetearth）２５、クレモフォア（Cremophor）Ａ  ２５、ＢＡＳＦ社（BASF Corporation）
4アキュリン（Aculyn）（商標）３３、ローム・アンド・ハース社（Rohm and Hass Company Inc.）
5サルケア（Salcare）（商標）ＳＣ  ９０  チバ・スペシャルティ・ケミカルズ社（Ciba Specialty Chemicals Corporation）
6カーボポール（Carbopol）（商標）ウルトレズ（Ultrez）１０
【００９６】
６．試験方法
キャリパー
「ＡＳＴＭ  Ｄ  ５７３６−９５嵩高不織布地の厚みに関する標準試験法（Standard Test Method for Thickness of Highloft Non-Woven Fabrics）」に記載されている一般的な手順を用いて調量層のキャリパーを割り出した。ダイカッターを用いて、直径約３５．７ｍｍの、調量層の円形サンプルを作製した。取り扱い中に調量層を圧縮及び／又は阻害しないように注意した。折り目、ひだ、不均一性、畳み目、又は裁断マークなどのような欠陥を有する全ての調量層を試験対象から外した。直径４０ｍｍの２つの平行な円形プレート（圧縮プレート−アンビル及び押さえ金）が配置されると共に、製造者のガイドラインに従って圧縮プレートモードで較正されたＴＡインスツルメンツ社（TA Instruments Ltd）製ＤＭＡ  ２９８０上でキャリパーを測定した。２つの平行なプレートの対向する平らな表面を、それらの休止位置から接触状態にして、寸法変化を手でゼロにした。これらのプレートを休止位置に戻し、取り扱い中に基材が圧縮及び／又は阻害されないようにしながら、試験を行う調量層を下方のプレートの表面上の中心に配置した。予荷重力をゼロニュートンに設定した。０．０２ｋＰａの圧力をサンプルに５秒で加えて、その圧力を更に１０秒間一定に保った。０．０２ｋＰａに達してから９〜１０秒のときにキャリパーを記録した。各調量層に対して、この測定を新しいサンプル上で３回繰り返した。０．０２ｋＰａでの平均キャリパーを平均キャリパーとして定め、四捨五入して０．００１ｍｍ単位で記録した。同じ方法を適用して、不織布、発泡体、及びこれらの組み合わせの調量層のキャリパーを測定した。本明細書の上記手順に従って調量層のキャリパーを測定可能ないずれの装置も使用することができる。
【００９７】
圧縮率
以下の等式（Ｉ）に従って、調量層の圧縮率を圧縮百分率として割り出した。
【００９８】
【数１】
2010528800.tif 000004
【００９９】
まず、上述のように０．０２ｋＰａの圧力において、ＴＡインスツルメンツ社（TA Instruments Ltd）製ＤＭＡ  ２９８０上で、調量層のキャリパーを割り出した。０．０２ｋＰａに達してから９〜１０秒のときにキャリパーを記録した。続いて、０．５ｋＰａの圧力を同じサンプルに５秒で加えて、その圧力を更に１０秒間一定に保った。圧力を一定に保ってから９〜１０秒のときに、０．５ｋＰａでのキャリパーを記録した。各調量層に対して、この測定を新しいサンプル上で３回繰り返した。０．５ｋＰａでの平均キャリパーを、四捨五入して０．００１ｍｍ単位で記録し、上記の等式（Ｉ）に従って圧縮百分率を算出した。同じ方法を適用して、不織布、発泡体、及びこれらの組み合わせから選択された調量層のキャリパーを測定した。調量層のキャリパーを測定して、それらの圧縮率を割り出すために、０．５ｋＰａの圧力を選択した。これは、消費者が本発明による塗布用具（１）に加える可能性がある有意な圧力に相当する。これに加えて、０．５ｋＰａの圧力によって、種々の調量層の圧縮率を相互から測定可能になる。本明細書の上記手順に従って調量層のキャリパーを測定可能ないかなる装置も使用することができる。
【０１００】
平均距離（Ｄ１）
前記塗布用具が閉じた状態であり、前記プレートの前記内表面（１０１）が、前記くぼみ部（２０）の前記開口部と並置関係にあるときに、前記プレート（１０）の前記外辺部（１０３）と、前記くぼみ部（２０）の前記周縁部（２２２）との間の平均距離（Ｄ１）を測定した。ミツトヨデジマチック（Mitutoyo Digimatic）キャリパーを前記外辺部（１０３）に配置し、前記外辺部（１０３）から前記周縁部（２２２）までの距離を測定した。外辺部（１０３）及び周縁部（２２２）の周囲の別の１０個の点に対して、この測定を繰り返した。前記１０個の点は、前記くぼみ部（２０）の前記周縁部（２２２）の長さに沿ってそれぞれ等間隔で選定した。１０個の測定値を平均して、平均距離（Ｄ１）を得た。前記プレート（１０）の外辺部（１０３）に、いずれかの止め具機構が配置されている場合、その止め具機構は、前記外辺部（１０３）の一部ではないため、測定値には含まれていない。
【０１０１】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【０１０２】
１  塗布用具
１０  プレート
１１  ストリップ
１２  ストリップ
２０  くぼみ部
３０  連結部
３２  連結雌部品
３４  連結雌部品
３８  連結ピン
４０  部材
４１  複数の歯
４９  第１の溝
５０  第１の調量層
５０’  第１の調量層（第２部分）
５９  第２の溝
６０  第２の調量層
６０’  第２の調量層（第２部分）
７０  第１フィン
７１  第２フィン
７５  フィン突出部
８０  末端縁
８１  末端縁
９０  近位縁
９１  近位縁
１０１  内表面
１０２  外表面
１０３  外辺部
２０１  くぼみ底部
２０２  壁部
２０３  開口部
２０４  内部容積部
２２２  周縁部
４０１  封止手段
４０２  止め具機構
４０３  止め具機構
α  第１フィンの角度
β  第２フィンの角度
Ｌ１  第１フィンの長さ
Ｌ２  第２フィンの長さ
Ｗ１  第１フィンの幅
Ｗ２  第２フィンの幅
Ｔ１  第１フィンの厚み
Ｔ２  第２フィンの厚み
Ｄ１  プレートの分離箇所
Ｌ  部材の長さ
Ｈ  部材の高さ
Ｗ  部材の幅
【０１０３】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【図１Ａ】
2010528800.tif 000005
【図１Ｂ】
2010528800.tif 000006
【図２Ａ】
2010528800.tif 000007
【図２Ｂ】
2010528800.tif 000008
【図２Ｃ】
2010528800.tif 000009
【図３】
2010528800.tif 000010
【図４】
2010528800.tif 000011
【図５Ａ】
2010528800.tif 000012
【図５Ｂ】
2010528800.tif 000013
【図５Ｃ】
2010528800.tif 000014
【図５Ｄ】
2010528800.tif 000015
【図５Ｅ】
2010528800.tif 000016
【図５Ｆ】
2010528800.tif 000017
【図５Ｇ】
2010528800.tif 000018
【図５Ｈ】
2010528800.tif 000019
【図５Ｌ】
2010528800.tif 000020
【図５Ｍ】
2010528800.tif 000021
【図５Ｎ】
2010528800.tif 000022
【図５Ｐ】
2010528800.tif 000023
【国際調査報告】
2010528800.tif 000024
2010528800.tif 000025